(57)【特許請求の範囲】
【請求項１】
眼鏡であって、
第１側部と、対向する第２側部と、該第１側部に形成された少なくとも１つの換気通路とを有するフレームであって、該フレームの周囲を囲んで延設して使用者の顔に密閉するように接するスカートを有し、該スカートが該フレームの該第１側部から外側に延設する斜面と該斜面から延設して顔に固定されるフランジ部材とを備え、該フレームが１対のテンプルスロットを有するフレームと、
一対の開口を有し、前記フレームの前記第１側部に着脱可能に結合されるレンズと、
頭部を有する１対の端部と、
を備え、
各端部はそれぞれ、前記レンズに形成された前記開口内および前記テンプルスロット内に頭部を挿入することにより前記レンズに着脱可能に取り付けられ、該端部を前記テンプルスロット内で移動させることにより、前記頭部が前記フレームの一部に接して、前記レンズが前記フレームに対して位置決めされ固定させることを特徴とする眼鏡。
【請求項２】
請求項１に記載の眼鏡において、さらに
前記端部に回転可能に装着するストラップ保持部を備えることを特徴とする眼鏡。
【請求項３】
請求項１に記載の眼鏡において、
前記テンプルスロットが、前記フレームの対向するテンプル部分に形成されており、前記テンプルスロットが、前記フレームの側部に対して内側に延設する弓状表面を有することを特徴とする眼鏡。
【請求項４】
請求項１に記載の眼鏡において、
前記第１側部が、前記第１側部から外側に延設する第１リップを含み、前記レンズが前記フレームに取り付けられたとき、該リップが前記レンズの外周に隣接することを特徴とする眼鏡。
【請求項５】
請求項１に記載の眼鏡において、
前記フレームの前記第１側部が、前記第１側部から外側に延設して前記第１側部の上周に隣接する第１リップと、第１側部から外側に延設して前記第１側部の下周に隣接する第２リップとを含み、該第１および第２リップが前記フレームの前記第１側部にほぼ垂直な第１表面を有し、該第１表面がその内部に形成された第１換気通路を含み、該第１換気通路が前記フレームの前記第１側部内に形成された第２換気通路と通じ、該第１および第２換気通路が互いにほぼ直交していることを特徴とする眼鏡。
【請求項６】
請求項１に記載の眼鏡において、
前記フレームが、各テンプルスロットの周りに配置された上テンプル突起と下テンプル突起とを含み、該上テンプル突起および下テンプル突起が前記レンズを前記フレームの前記第１側部に固定するものであることを特徴とする眼鏡。
【請求項７】
請求項１に記載の眼鏡において、
前記端部の頭部が、部分的に前記テンプルスロットを規定する弓状表面に接し、前記レンズを前記フレームに対して位置決めするとともに固定することを特徴とする眼鏡。
【請求項８】
請求項１に記載の眼鏡において、
前記スカートが、使用者の鼻に接して固定される鼻ブリッジ部を含んでいることを特徴とする眼鏡。
【請求項９】
請求項１に記載の眼鏡において、
前記スカートの前記フランジ部材が、前記フレームの周囲を囲む前記斜面から外側に向いている第１部分を有し、前記フランジ部材が前記斜面に対して内向している第２部分を有することを特徴とする眼鏡。
【請求項１０】
請求項１に記載の眼鏡において、
前記フレームが、前記フレームのブリッジ部に形成され、前記レンズを前記フレームに固定する第１および第２突起を含むことを特徴とする眼鏡。
【請求項１１】
請求項１に記載の眼鏡において、
前記スカートが前記フレームと一体に形成されていることを特徴とする眼鏡。
【請求項１２】
眼鏡であって、
第１側部と、対向する第２側部とを有するフレームであって、該第１側部が上部および下部を有し、該上部および下部がそれぞれ内部に形成された少なくとも１つの換気通路を有し、該第１側部が該上部を横断して延設する上リップを含んで該上リップと該第１側部が第１スロットを規定するようになっており、該上リップの内面が少なくとも１つの換気通路を含み、該第１側部がさらに該下部を横断して延設する下リップを含んで該下リップと該第１側部が第２スロットを規定するようになっており、該下リップの内面が少なくとも１つの換気通路を含み、該フレームがその周囲を囲んで延設して使用者の顔に密閉するように接するスカートを有し、該フレームが１対のテンプルスロットを有するフレームと、
一対の開口を有し、前記レンズを前記第１および第２スロットに挿入することにより前記フレームの前記第１側部に着脱可能に結合されるレンズと、
頭部を有する１対の端部と、
を備え、
各端部はそれぞれ、前記レンズに形成された前記開口内および前記テンプルスロット内に頭部を挿入することにより前記レンズに着脱可能に取り付けられ、該端部を前記テンプルスロット内で移動させることにより、前記頭部が前記フレームの一部に接して、前記レンズが前記フレームに対して位置決めされ固定させることを特徴とする眼鏡。
【請求項１３】
請求項１２に記載の眼鏡において、
前記フレームが弾性熱可塑性樹脂材料で形成され、前記レンズと前記フレームの間の弾性的嵌合を可能にすることを特徴とする眼鏡。
【請求項１４】
請求項１２に記載の眼鏡において、
前記スカートが前記フレームの前記第１側部から外側に延設する斜面と、該斜面から延設するフランジ部材とからなることを特徴とする眼鏡。
【請求項１５】
請求項１２に記載の眼鏡において、
前記各上リップおよび下リップが、前記テンプルスロットの近くに配置されたテーパ端を含み、前記テンプルスロットはそれぞれ前記端部を受け止める溝を含んでいることを特徴とする眼鏡。
【請求項１６】
請求項１２に記載の眼鏡において、 前記フレームは、さらに前記１対のテンプルスロットの中央に配置されたブリッジ部を備え、前記上リップが、前記レンズの上ブリッジ部を受け止めて保留する第１ブリッジタブを規定し、前記下リップが、前記レンズの下ブリッジ部を受け止めて保留する第２ブリッジタブを規定することを特徴とする眼鏡。
【請求項１７】
請求項１または請求項１２に記載の眼鏡において、
前記レンズは、レンズの外表面に形成された複数の突起を有し、
各端部には、前記突起と係合するための形状を有する凹部が設けられていることを特徴とする眼鏡。
【請求項１８】
請求項１または請求項１２に記載の眼鏡において、
前記レンズは、レンズの外表面に形成された複数の突起を有し、
各端部には、前記突起と係合するための形状を有する凹部が設けられ、
眼鏡の広角度を調節するために、装着者は端部を回転させ、一対の凹部と一対の突起との位置合わせを行うことを特徴とする眼鏡。
【発明の詳細な説明】
【０００１】
（関連出願の引照）
本発明は、１９９８年２月２６日付出願の米国特許出願第０９/０３２，５０５号の一部継続出願であり、上記は、１９９６年５月２日付出願の米国特許出願第０８/６４１，９０１号、１９９６年１２月２０日付出願の米国特許出願第０８/７７０，９２０号、１９９７年２月２６日付出願の米国特許出願第０８/８０６，５９５号、および１９９７年２月２６日付出願の第０８/８０６，８３２号の一部継続出願である。
【０００２】
（技術分野）
本発明は、全般に眼鏡に関する。さらに詳しくは、本発明は、随意に耳カバーやヘッドホンなどの他の安全装置を確実に取り付けることができる調節可能ストラップテンプル付きの、安全およびレクリエーションの用途（すなわち、スポーツおよび/または過酷な環境）に用いられる平面（矯正なし、つまり、ゼロ倍）および処方眼鏡両方に関する。
【０００３】
（背景技術）
保護眼鏡は、処方ものおよび平面もの（矯正なし、つまり、ゼロ倍）はともに、安全およびレクリエーションの用途（すなわち、スポーツ）双方用に市場で入手可能である。そのような眼鏡は、１９９６年５月２日付出願の米国特許出願第０８/６４１，９０１号に例示されており、この出願は譲受人に譲受され、その内容は全て参照により明細書に組み込むものとする。この眼鏡は、１対のテンプルに取り付けられた１つのレンズを含む１つの眼鏡からなる。このレンズは、非球面形状を、その非球面形状の軸からオフセットした軸を中心に回転することにより作成された表面を有する。好ましくは、その非球面形状が楕円であり、さらに好ましくは、その結果得られるレンズが、水平経線における断面が楕円部分であり、垂直経線における断面が円部分である。このレンズは大きく回り込んでおり、そのため側部遮蔽部を必要とせずに広範囲に保護する。
【０００４】
もちろん、他に多くの従来技術による保護眼鏡が知られているが、その眼鏡の全てが、一般にテンプルがレンズまたはレンズフレームから外側に延設する１対の硬質または半硬質のテンプルを用いている。この種の他の保護用眼鏡の例として、米国特許第４，８６７，５５０号、第４，７４１，６１１号、第４，６７４，８５１号、第４，８５９，０４８号、第５，３８１，１９２号、および第５，０３２，０１７号を含み、これら特許の内容は全て引例としてここに包含されている。
【０００５】
従来技術により対応できないと認められる問題の１つは、従来技術の保護用眼鏡は、埃っぽい汚い作業環境に存在する微粒子から目を十分に保護していないことである。さらに、様々な環境に存在するある種の液体は、液体がはねて使用者の顔に、さらに特定すれば、使用者の目の中に入りうる危険性を有する。これらの問題はいずれも、スポーツ環境でも起きる。現在、産業作業現場における最も一般的な目の傷害は、これら上記の微粒子または液体が目のすぐ近くの部分に進入することに起因していることが知られている。そのため、微粒子状物質および液体から目を守る眼鏡を開発する必要性が認識されている。さらに、過酷な環境においては多くの場合、安全眼鏡を防音耳カバーや通信用ヘッドホンなどの他の安全装置と共に装着する必要があり、眼鏡の微粒子・液体シール、あるいは他の安全装置等のシールを壊さないようにしなければならない。そのため、加えて、従来技術の安全・保護眼鏡に付随の今までのテンプルでは現在は不可避な、個々の安全装置のシールへの影響のない、眼鏡の他の安全装置への取り付け方法の必要性が認識されている。
【０００６】
（発明の開示）
上述および他の欠点、ならびに欠陥は、本発明の眼鏡により解消あるいは軽減される。フレームと、フレームにへの着脱可能なレンズと、ストラップ組立部とを有する眼鏡が開示されている。フレームとレンズとは、少なくとも１つの開口を形成して換気を可能にする。弾性フランジは、フレームの周囲に沿って設けられている。一実施形態においては、複数のＬ字型通路が設けられ、間接的換気を提供している。円筒状延出部を有する端部（end piece）は、レンズとフレームとを着脱可能に取り付けている。円筒状延出部上に配置された頭部が回転してフレームと接触するとともに、レンズの外周をフレーム上の突起に押し付けてレンズをフレーム上に保留する。
【０００７】
フレームはスカートを有し、スカートは、フレームと一体に形成されフレームの周囲を囲んで延設していることが好ましい。スカートは、フレームの第１側部から外側に延設する斜面と、フレームの周囲を囲む斜面の周りに延設するフランジ部とを含んでいる。スカートは、フレームの他の部分と一体に形成することが好ましく、不要な異物が装置の下に進入して使用者の目に触れることを防止するためのものである。スカートは、使用者の顔にほぼ直に接触するように顔の輪郭に沿って作られているため、微粒子、液体、および他の不要な物質がたやすくフレームの下に進入して使用者の目に触れることを防止する。
【０００８】
本発明の上述および他の特徴と利点とは、以下の詳細な説明および図面から当業者により認知され理解されよう。
【０００９】
図を参照するが、いくつかの図においては同様な部分には同じ番号を付している。
【００１０】
（発明を実施するための最良の形態）
図１を参照すると、本発明による調節可能ストラップ付保護眼鏡が、１０に概略的に示されている。装置１０は、一般にレンズ１２、フレーム１４、１対のストラップ保持テンプル１６，１８、および調節可能ストラップ組立部２０を含んでいる。
【００１１】
レンズ１２は、前述の米国特許出願第０８/６４１，９０１号の図１３〜１５に図示した単一の、平面レンズであることが好ましい。しかしながら、レンズ１２は、他の適当な保護用レンズ（他の形を有する）で構成してもよく、これらレンズには、米国特許出願第０８/６４１，９０１号の図１〜６、および図１１〜１２に図示したレンズ、あるいは前述の米国特許第４，８６７，５５０号、第４，７４１，６１１号、第４，６７４，８５１号、第４，８５９，０４８号、第５，３８１，１９２号、および第５，０３２，０１７号のレンズを含むがこれらに限らないことは理解されよう。
【００１２】
米国特許出願第０８/６４１，９０１号に詳述されるように、レンズ１２は平面レンズであることが好ましく、この平面レンズは、非球面形状を、その非球面形状の軸からオフセットした軸を中心に回転することにより作成された前面湾曲部を備えている。好適な一実施形態において、非球面形状は、楕円あるいは少なくとも一部が楕円アーチを有する非球面形状である。この楕円アーチは、楕円の長軸または短軸からある距離離間した（オフセットした）軸を中心に回転されている。さらに好適な実施形態において、この楕円は軸を中心に回転され、その軸は楕円の長軸または短軸からある距離離間するとともにこれに平行であるが楕円と同一平面にある。この結果得られる好適なレンズ構成の表面は、水平経線における断面が楕円部分であり、垂直経線における断面が円部分になる。この好適なレンズ構成の大きな特徴は、作成された表面が回転対称であることである。さらに、プラススチックレンズが好ましいが、本発明に準じて安全ガラスや他の適当な材料からなる眼鏡を用いることが可能である。
【００１３】
本発明の眼鏡により、使用者は、独特な調節可能ストラップを用いて確実に眼鏡を顔に保持することができ、あるいはこの調節可能ストラップを用いて便利かつ確実に、眼鏡を防音耳カバーや通信用ヘッドホンなどの他の安全装置に装着することができる。
【００１４】
図１〜３を参照すると、本発明の好適な実施形態において、レンズ１２はその内部に形成されたスロット２２を含み、そのスロット２２は端部３０（図１１）と協働して眼鏡の広角度調節を提供する。スロット２２は一般に卵形で、中心円形領域２４を有する。突起２６はレンズ１２の表面に形成され、そのレンズ表面から離れるように延設している。スロット２２により、レンズ１２は以下に詳述するように確実にフレーム１４に結合される。
【００１５】
図１、および図４〜５は、本発明の装置１０に用いられる調節可能ストラップ保持部４０を示している。ストラップ保持部４０はテンプル蝶番４２を含む。テンプル蝶番４２は、蝶番部４６に挿入されるピン４４によって端部３０に回着され、端部３０とストラップ保持部４０の間の回動可能接合をなす。端部３０とストラップ保持部４０の間の回動可能接合により、テンプル１６，１８が互いに折り重なることが可能になり、眼鏡１０を保管したりあるいは使用しない場合には、最小限のスペースしか取らないようにすることができる。この回動接合は、必要に応じてストラップと眼鏡とを適切に合わせることにより、眼鏡の使用者の顔へのフィット性を高めるような作用もする。端部３０とストラップ保持部４０に使用される材料は、適当な成形可能プラスチックが好ましい。好適な実施形態において、ストラップ保持テンプル１６，１８は直接、レンズ１２の上方外縁に接続される。
【００１６】
端部３０は、５０に概略的に示す、円筒状頚部５２と頭部５４とを含む支柱を含んでいる。端部３０は、レンズ１２の外表面に形成された突起２６（図３）を係止する凹部５６を含んでいる。溝５８は、頭部５４と頚部５２の一部に形成されている。図示の実施形態において、溝５８は頭部５４を横断して延設する横溝からなる。溝５８は、溝の一端の幅が該溝の多端の幅より大きいＶ字形（図示せず）を含む、いかなる形状を有するものでもよい。そのため、溝５８に代替形状を用いてもよいことが理解されよう。溝５８は、一般に頭部５４の長軸に垂直に形成されるとともに、頭部５４全体を横断して延設している。
【００１７】
ここで図１〜１２を参照する。端部３０は、支柱５０をスロット２２に挿入し、端部３０を回転させることによりレンズ１２に結合される。眼鏡の広角度を調節するために、装着者は、端部３０を回転させて１対の凹部５６をレンズ１２上に形成された突起２６に位置合わせする。溝５８により、頭部５４の長軸に沿う末端部６０，６２は、レンズ１２から離れるように屈曲することが可能になる。これにより、さらに端部３０がレンズ１２の範囲内で回転しやすくなる。これは端部のレンズ１２への挿入時にまず端部３０を回転する時と、広角度を調節する時に特に有用である。端部３０は弾性材料で作られており、頭部５４の末端部６０，６２は、レンズ１２を圧迫するとともに端部３０を所望の広角度で保持する。
【００１８】
本発明の広角度特性は、テンプル長さ調節筐体７０とテンプル先端部８０とが本発明のストラップ保持部４０とストラップ組立部２０に代わることを除き、１９９６年１２月２０日付出願の米国特許出願第０８/７７０、９２０（その内容の全ては参照により明細書に組み込むものとする）に共通に付与された広角度特性と同一であることが好ましい。そのため、該出願、米国特許出願第０８/７７０、９２０を参照してさらに広角度特性を詳述する。広角度調節特性は、特に本発明の保護眼鏡を他の安全装置と組み合わせた時に、心地よく快適なフィット性を保証するものである。
【００１９】
ストラップ保持部４０は、調節可能ストラップ組立部２０を受容する大きさの滑らかなループ６６を有する。調節可能ストラップ組立部２０は、７０に概略的に示す右側バックル・ストラップ組立部と７２に概略的に示す左側バックル・ストラップ組立部とからなる。右側バックル・ストラップ組立部７０は、適当な長さのストラップ７４とバックルのスナップ式雌部７６とから構成されている。同様に、左側バックル・ストラップ組立部７２は、適当な長さのストラップ７８とスナップ式バックルの雄部８０とから構成されている。スナップ式バックルの雄部８０は、バックルの雌部７６および左側ストラップ７８を所望の位置に調節し眼鏡を確実に人の顔に装着する公知のストラップ締め具８２と接合し、心地よく快適なフィット性を保証するものである。
【００２０】
ストラップ部７４およびストラップ部７８は、産業界における公知の大きさに作られ、公知の伸縮自在材料であるとよい。片側バックル７６および片側バックル８０、ならびにストラップ締め具８２は、市販の、使用環境により必要とされる材料と仕上がりであればよい。片側バックル７６および片側バックル８０は共に、公知のスナップコネクタを有し、そのスナップコネクタは、本発明の眼鏡と一緒に使用される安全耳カバー、ヘッドホン、あるいは他の安全装置の外側にある爪に噛合する。
【００２１】
なお、ストラップ７８はストラップ７４よりも長いが、これは余分な長さのストラップにより調節可能ストラップ組立部２０を適正に調節する必要があるためである。なお、さらに右側ストラップ７４の端部８４は、バックル（片側）７６のループ８６上に折り返えされて適当な長さに延設し、接着剤、溶接、あるいは他の公知の手段などの公知の方法によりストラップ７４の一部に取り付けられる。
【００２２】
フレーム１４は、対向側部９０，９２を含むとともに、対向端部９１，９３を含んでいる。レンズ１２は、１００に概略的に示すスカート部材の一部を形成する側部９０および側部９２上に保留されている。フレーム１４は、複数の換気通路１１０を含み、使用中の装置への換気を可能にして、レンズ１２の曇りを防止するとともに使用者に快適さを提供する。リップ１２０は、フレーム１４の一部に沿って設けられ、使用中に埃ならびに他の不要な微粒子および液体が装置１０に進入することを防止する。側部９０は、レンズ１２を受け止めるとともに、使用中には使用者とは反対方向を向いている。側部９０は、ブリッジ部１３０に配置された対向突起１２２，１２４を含み、レンズ１２を側部９０上に設置して保留する。フレーム１４は、テンプル部１３２，１３４を含んでおり、各テンプル部１３２，１３４は、上および下突起１３６，１３８をそれぞれ含んでいる。上および下突起１３６，１３８は、側部９０上にレンズ１２を設置すると共に、組立時にレンズ１２上に内向する頭部５４の接合によりレンズ１２を保留する。フレーム１４は、プラスチックからなることが好ましく、弾性的で組立が容易である。好ましくは、突起１２２，１２４も頭部１４０を含み、その頭部１４０はレンズ１２に外嵌して正確な嵌合を補助する。
【００２３】
フレーム１４は、さらに開口１５０，１５２を含んでいる。リップ１２０は、顔の輪郭に合わせて作られるとともに、側部９０の上部１５４および下部１５７の一部に沿って配置されている。リップ１２０は、側部９０から外側に延設するとともに、その上端部１５６に向かって細くなっている。レンズ１２は、その上端部と底部の部分に沿う外周がリップ１２０に支持されている。複数の換気通路１１０は、リップ１２０の内側部１２１および側部９０の表面９７に沿っている。好ましくは、換気通路１１０は、側部９０の表面９７とリップ１２０の内側部１２１に沿って配置されたＬ字型凹部からなる。Ｌ字型換気通路１１０は、装置１０を装着した際に、顔（および目）への間節的換気をもたらす。換気通路１１０は凹壁１６０を含んでおり、凹壁１６０は仕切壁１６２により分離されている。同様に、凹壁１６４は、仕切壁１６６により分離されている。このため、レンズ１２をフレーム１４に取り付けた時、空気は、凹壁１６４で換気通路１１０に進入し、通常凹壁１６０に沿って移動することにより、フレーム１４の側部９０から進入できる。こうして間接的に換気が行われる。このように、リップ１２０がレンズ１２上に延設しているため、埃ならびに他の不要な微粒子および液状物質が、レンズ１２と使用者の顔の間に落下することはない。こうして、埃ならびに他の不要な微粒子および液体の防止を最適に行いながら換気がなされる。一般当業者には、間接換気のための開口の精細形状は変更され得ることを認められよう。
【００２４】
各テンプル部１３２，１３４は、弓状部１７０を含み、この弓状部１７０は、上部テンプル部１７２と下部テンプル部１７４とを接続している。各テンプル部１３２，１３４は、フレーム１４に形成されるとともに部分的には弓状部１７０により規定されているテンプルスロット１３１の形状を事実上規定している。弓状体部１７０は、内側弓状表面１７６を含んでいる。以下に詳述するように、内側弓状表面１７６は、ストラップ組立部２０上の端部３０の頭部５４と共に着脱可能な取付部を形成する。頭部５４は、回転すると弓状表面１７６に接してレンズ１２の各端部１３，１５を突起１３６，１３８に押し付け、レンズ１２が突起１３６，１３８（および各頭部５４）に接することにより、レンズ１２を側部１１２に保留する。これにより、レンズ１２はより適切にフレーム１４に保留される。
【００２５】
フレーム１４の側部９０は、さらに外周縁部１８０を含み、この外周縁部１８０は、側部９０の外周の周囲に延設しているとともに、側部９０から外側に向かって延設して隆起縁部を提供している。従って、隆起周縁部１８０は、リップ１２０、突起１２２，１２４，１３６および１３８ならびに開口１５０，１５２の周囲に延設している。スカート１００は、斜面１８２により構成され、その斜面１８２は、周縁部１８０からフランジ部１９０に向かって外側に延設している。スカート１００および周縁部１８０は、弓状部１７０により規定されている端部において弓形状を有するテンプルスロット１３１を規定する役を果たしている。
【００２６】
斜面１８２は、周縁部１８０の周囲に延設しており、フレーム１４の他の部分と一体に形成することが好ましい。フランジ部１９０は、フレーム１４の選定部分に設けられ、さらに特定すれば、フランジ部１９０は、フレーム１４の周囲を囲む位置に設けられている。フランジ部１９０は、ブリッジ部１３０のほぼ下方の位置に１対の対向斜縁１９２を形成している。この位置において、フランジ部１９０は、内転し、側部９０から内側に向かって延設している。フランジ部１９０が内転すると、鼻ブリッジ部１９４を形成しており、その鼻ブリッジ部１９４は、その間に使用者の鼻が快適に収まるように設計されている。
【００２７】
有利であることに、スカート１００により、装置１０を装着した時に使用者の顔に対して効果的に密閉できるため、液状物質を含む不要な異物が装着している眼鏡の下にある使用者の目の部分に進入することを防止できる。つまり、スカート１００は効果的な密閉をもたらし、誤って直に使用者の目に向けて飛んでくる可能性のある液体および、例えば、微粒子などの固体物質から装着者を保護する助けとなる。装置１０の１つの特定な適用例は、液体がはねる可能性があり、液体が使用者の目に触れると、場合によっては装置１０の使用者に害を与えるような作業現場におけるものである。本発明の装置１０が、同様に固体粒子や他の異物から目を保護することは理解されよう。スカート１００はフレーム１４と同じ材料で形成することが好ましいため、スカート１００は、所望の密閉特性を提供する弾性材料により形成されている。本技術において公知であるように、一体のスカート１００を含むフレーム１４は、例えば、射出成形などの成形プロセスを含むいくつかの製造プロセスにより形成することができる。１工程成形プロセスは装置１０の作成に好ましい技術であるが、スカート１００の無いフレーム１４を形成し、その後続く成形プロセスでスカート１００を形成することにより装置１０を作成することも、同様に本発明の範囲内であることは理解されよう。
【００２８】
ここで、図１および図１３〜１７を参照する。本発明の他の実施形態において、フレーム２００は、レンズ１２、１対のストラップ保持テンプル１６，１８、および調節可能ストラップ組立部２０と共に用いられ、本発明による調節可能ストラップ付保護眼鏡を形成している。
【００２９】
フレーム２００は、対向側部２９０，２９２および対向端部２９１，２９３を含んでいる。側部２９０はレンズ１２を受け止めるとともに、使用中には使用者とは反対方向を向いている。フレーム２００は、対向端部２９１，２９３からほぼ等距離に位置するブリッジ部２３０を含んでいる。ブリッジ部２３０も鼻ウエッブ２３１を含み、鼻ウエッブ２３１は、装着者の鼻に支えられ使用者に一層の掛け心地を提供するように設計されている。ウエッブ２３１は、鼻に固定される湾曲底縁２３３を有する。ウエッブ２３１は、フレーム２００の他の部分と一体に形成することが好ましい。開口２５０は、ブリッジ部２３０と端部２９１との間のフレーム２００内に配置されている。開口２５２は、ブリッジ部２３０と端部２９３との間に配置されている。フレーム２００は、さらに上部２５４および下部２５７を含んでいる。
【００３０】
上リップ２２０は、フレーム２００の上部２５４上に配置されるとともに、端部２９１から端部２９３に延設している。上リップ２２０は、ほぼ「Ｌ」字型の突起であることが好ましく、この「Ｌ」字型はここに述べるように、初めはフレーム２００の側部２９０からほぼ垂直に延設し、その後側部２９０に並行に開口２５０，２５２に向かい、レンズ１２を受け止める上スロット２２２を形成する。
【００３１】
下リップ２２４は、フレーム２００の上リップ２２０に対向している。下リップ２２４は、フレーム２００の下部２５７上に配置されるとともに、端部２９１から端部２９３に延設している。下リップ２２４は同様に、ほぼ「Ｌ」字型の突起であり、その「Ｌ」字型はここに述べるように、初めはフレーム２００の側部２９０からほぼ垂直に延設し、その後側部２９０に並行になって開口２５０，２５２に向かい、レンズ１２を受け止める下スロット２２６を形成する。
【００３２】
上および下スロット２２２，２２６には、それぞれ複数の換気通路２１０が並び、使用中の装置への換気を可能にして、レンズ１２の曇りを防止するとともに使用者に快適さを提供する。好ましくは、換気通路２１０は、それぞれ上および下スロット２２２，２２６内に配置されたＵ字型凹部からなる。Ｕ字型通路２１０は、側部２９０および上リップ２２０上の上スロット２２２内に配置されている。Ｕ字型通路は、さらに側部２９０および下リップ２２４上の下スロット２２６内に配置されている。Ｕ字型通路２１０はここで述べるように、レンズ１２を装着した時に当接するように配置され、それにより空気が側部２９０から眼鏡１０に入り、使用者の顔や目に対して換気するようになっている。個々の換気通路２１０は、図１０を参照して述べた換気通路１１０と同様に構成され、凹壁１６０，１６４、および仕切壁１６２，１６６を含んでいる。この構成により、レンズ１２の縁の周囲にあるＵ字型通路内の凹壁１６０，１６４に沿って空気が移動して、間接的に眼鏡の換気をすることが可能になり、埃ならびに粒子状物質および液体が直接眼鏡内に落下することを防止する。
【００３３】
上および下リップ２２０，２２４は、それぞれフレーム２００の一部として一体に形成することが好ましく、例示的実施形態においては弾性熱可塑性樹脂材料からなっている。フレーム２００を用いて眼鏡を組み立てる際、レンズ１２は側部２９０上に受け止められる。レンズ１２がＵ字型換気通路２１０に当接した状態で、レンズ１２の縁がそれぞれ上および下スロット２２２，２２６内で受け止められる。つまり、レンズ１２は、フレーム２００の弾性によりそれぞれ上および下スロット２２２，２２６内の箇所に弾性的に噛合し、レンズ１２は、それぞれ上および下リップ２２０，２２４によって動かないように保持される。レンズ１２が上および下スロット２２２，２２６内に受け止められた時、上リップ２２０の一部が第１ブリッジタブ２２１を規定し、この第１ブリッジタブ２２１はレンズ１２の上ブリッジ部を固定する役目をするとともに、下リップ２２４の一部２２５がレンズ１２の下ブリッジ部を固定する第２ブリッジタブとして作用する。
【００３４】
フレーム２００は、さらに側部２９２上に配置されたスカート２０１を含んでいる。スカート２０１は、ここに図８〜９を参照して述べた鼻ブリッジ部１９４を含んでいる。鼻ブリッジ部１９４は、フレーム２００のブリッジ部２３０の真下にあるスカート２０１上に配置されている。
【００３５】
スカート２０１も、ここに図８〜９を参照して述べた斜面１８２を含んでいる。斜面１８２は、フレーム２００の周囲に一体に成形されている。斜面１８２は、上および下リップ２２０，２２４と、ここに図８〜９を参照して教示したフランジ部１９０との間にそれぞれ配置されている。フランジ部１９０は、スカート２０１上のフレーム２００の周囲を囲む位置に設けられており、ブリッジ部２３０の真下にある鼻ブリッジ部１９４を備えている。フランジ部１９０は、本発明を装着した時に使用者の顔に対して効果的に密閉できるため、液体および固体を含む不要な異物が、使用者の目の部分に進入することを防止できる。使用者の顔に対してより適した形状とするために、フランジ部１９０は弾性熱可塑性樹脂材料により形成してもよい。
【００３６】
フレーム２００は、さらにそれぞれ対向端部２９１，２９３に配置されたテンプル部２３２，２３４を含んでいる。各テンプル部２３２，２３４は、弓状部２７０を含み、その弓状部２７０は、上部テンプル部２７２と下部テンプル部２７４とを接続している。テンプル部２３２，２３４、および弓状部２７０は、テンプルスロット２３１を規定しており、そのテンプルスロット２３１はフレーム２００を用いて眼鏡を組み立てる際、レンズ１２に挿入された時に端部３０の支柱５０の頭部５４を受け止める。テンプルスロット２３１は、頭部５４を受け止められるものであれば複数の形状が可能であり、直線および曲線形状、ならびにそれを組み合わせた形状を含むがそれらに限るものではない。
【００３７】
上述したように、上リップ２２０および下リップ２２４は、それぞれ対向端部２９１，２９３で終端している。上リップ２２０および下リップ２２４は、それぞれ対向端部２９１，２９３に配置され、部分（piece）スロット２０２，２０４を規定しており、各部分スロット２０２，２０４は、フレーム２００を用いて眼鏡を組み立てて使用する際、端部３０を受け止める。上および下リップ２２０，２２４は、それぞれ対向端部２９１，２９３においてテーパリング２０５を包含し、端部３０を受け止め易くしている。テンプル部２３２，２３４は、フレーム２００の側部２９０上に溝２０６を含み、さらに端部３０の受け止めを向上させることができる。
【００３８】
フレーム２００は、弾性熱可塑性樹脂材料で構成してもよく、レンズ１２の周囲での弾力的な嵌合を可能にするとともに、粒子状物質や保護眼鏡の使用に関係する他の一般的な危険から十分に目を保護しつつ、使用者に快適さを提供する。弾性熱可塑性樹脂材料は、例えば、ポリ塩化ビニル（ＰＶＣ）、ＴＰＥ、ＴＰＵ、ナイロン、ＰＣＴなどを含むことができる。
【００３９】
そのため、本発明は、液体および埃や他の粒子などの固体物質が装着者の目に触れることを防止するように設計された眼鏡を提供する。眼鏡は、多くの状況で装着することが可能であり、装着および製造が容易である。
【００４０】
最良の実施形態を示し述べたが、本発明の精神と範囲を逸脱しない限り様々な変更や代替物が可能である。従って、本発明は、例示として述べられたに過ぎず、限定するものではないことは理解されよう。
【図面の簡単な説明】
【図１】  本発明による例示的な調節可能ストラップ付保護眼鏡の上部平面図である。
【図２】  レンズの正面図である。
【図３】  レンズ内に形成されたスロットの拡大図である。
【図４】  図１の本発明による調節可能ストラップ付保護眼鏡を組立てる前の、ストラップ保持テンプルの分解・拡大上部平面図である。
【図５】  図４のストラップ保持テンプルの分解側面図である。
【図６】  図１による調節可能ストラップの接続バックル・ストラップ部の一部分解上部平面図である。
【図７】  図６の接続バックル・ストラップ部の部分側面図である。
【図８】  組立て前の図１の装置のフレームの正面斜視図である。
【図９】  図８のフレームの左側面図である。
【図１０】  フレームに形成された通路の斜視図である。
【図１１】  図４〜６の調節可能ストラップおよびストラップ保持テンプル、ならびに図２のレンズの分解斜視図である。
【図１２】  図２のレンズ内のスロットの斜視図である。
【図１３】  図８のフレームの他の実施形態の正面図である。
【図１４】  図１３のフレームの正面斜視図である。
【図１５】  図１３のフレームの側面図である。
【図１６】  図１３のフレームの上部平面図である。
【図１７】  図１３のフレームの底部平面図である。
【図１】
0004416370.tif 000002
【図２】
0004416370.tif 000003
【図３】
0004416370.tif 000004
【図４】
0004416370.tif 000005
【図５】
0004416370.tif 000006
【図６】
0004416370.tif 000007
【図７】
0004416370.tif 000008
【図８】
0004416370.tif 000009
【図９】
0004416370.tif 000010
【図１０】
0004416370.tif 000011
【図１１】
0004416370.tif 000012
【図１２】
0004416370.tif 000013
【図１３】
0004416370.tif 000014
【図１４】
0004416370.tif 000015
【図１５】
0004416370.tif 000016
【図１６】
0004416370.tif 000017
【図１７】
0004416370.tif 000018